(57)【要約】【課題】、画像に付加された輝度情報に従って動的に輝度レベルを切り替える画像表示において、画像を切り替えて再生する際の表示のちらつきの発生を低減する。【解決手段】画像出力装置は、表示対象の画像について輝度情報を取得する取得部と、取得部により取得された輝度情報に基づいて、表示対象の画像に付加する輝度情報を更新する更新部と、表示対象の画像のデータに、更新部により更新された輝度情報を付加して出力する出力部と、表示対象の画像の更新の頻度が所定値より大きい場合に、更新部による輝度情報の更新を制限する制限部と、を有する。【選択図】  図３Ｂ
2020150501.tif 000002
【特許請求の範囲】
【請求項１】
表示対象の画像について輝度情報を取得する取得手段と、
前記取得手段により取得された輝度情報に基づいて、前記表示対象の画像に付加する輝度情報を更新する更新手段と、
前記表示対象の画像のデータに、前記更新手段により更新された輝度情報を付加して出力する出力手段と、
前記表示対象の画像の更新の頻度が所定値より大きい場合に、前記更新手段による輝度情報の更新を制限する制限手段と、を備えることを特徴とする画像出力装置。
【請求項２】
前記制限手段は、前記出力手段による画像の出力の時間間隔が所定時間より小さい場合に、輝度情報の更新を制限することを特徴とする請求項１に記載の画像出力装置。
【請求項３】
前記制限手段は、ＯＳＤの表示中に輝度情報の更新を制限し、ＯＳＤの非表示中には輝度情報の更新を制限しないことを特徴とする請求項１に記載の画像出力装置。
【請求項４】
前記制限手段は、前記出力手段が付加している現在の輝度情報が示す輝度値よりも新たに取得された輝度情報が示す輝度値の方が小さい場合に前記更新手段による輝度情報の更新を禁止し、他の場合に許可することを特徴とする請求項１乃至３のいずれか１項に記載の画像出力装置。
【請求項５】
前記取得手段は、前記表示対象の画像に対する描画処理の実行時に、当該表示対象の画像について輝度情報を取得することを特徴とする請求項１乃至４のいずれか１項に記載の画像出力装置。
【請求項６】
前記取得手段は、前記表示対象の画像のメタデータから当該表示対象の画像について輝度情報を取得することを特徴とする請求項１乃至５のいずれか１項に記載の画像出力装置。
【請求項７】
前記出力手段は、外部の表示装置へ前記画像のデータと前記輝度情報を送信することを特徴とする請求項１乃至６のいずれか１項に記載の画像出力装置。
【請求項８】
表示手段をさらに備え、
前記出力手段は、前記画像のデータを、前記輝度情報に基づいて表示手段に表示させることを特徴とする請求項１乃至６のいずれか１項に記載の画像出力装置。
【請求項９】
前記制限手段は、輝度情報が示す輝度値を所定値に固定することを特徴とする請求項１乃至８のいずれか１項に記載の画像出力装置。
【請求項１０】
前記所定値は、同一のフォルダ内に存在する画像の最大輝度値であることを特徴とする請求項１乃至８のいずれか１項に記載の画像出力装置。
【請求項１１】
前記所定値は、同一のメモリカード内に存在する画像の最大輝度値であることを特徴とする請求項１乃至８のいずれか１項に記載の画像出力装置。
【請求項１２】
輝度情報が付加された表示対象の画像を取得する取得手段と、
前記取得手段により取得された前記表示対象の画像に付加されている輝度情報に基づいて表示輝度を更新する更新手段と、
前記表示対象の画像のデータを、前記更新手段により更新された表示輝度でディスプレイに表示させる表示制御手段と、
前記表示対象の画像の更新の頻度が所定値より大きい場合に、前記更新手段による表示輝度の更新を制限する制限手段と、を備えることを特徴とする画像表示装置。
【請求項１３】
前記制限手段は、ＯＳＤの表示中に輝度情報の更新を制限し、ＯＳＤの非表示中には輝度情報の更新を制限しないことを特徴とする請求項１２に記載の画像表示装置。
【請求項１４】
前記取得手段は、外部装置から輝度情報が付加された表示対象の画像を受信することを特徴とする請求項１２または１３に記載の画像表示装置。
【請求項１５】
表示対象の画像について輝度情報を取得する取得工程と、
前記取得工程により取得された輝度情報に基づいて輝度情報を更新する更新工程と、
前記表示対象の画像のデータに、前記更新工程により更新された輝度情報を付加して出力する出力工程と、
前記表示対象の画像の更新の頻度が所定値より大きい場合に、前記更新工程による輝度情報の更新を制限する制限工程と、を備えることを特徴とする画像出力方法。
【請求項１６】
輝度情報が付加された表示対象の画像を取得する取得工程と、
前記取得工程により取得された前記表示対象の画像に付加されている輝度情報に基づいて表示輝度を更新する更新工程と、
前記表示対象の画像のデータを、前記更新工程により更新された表示輝度でディスプレイに表示させる表示制御工程と、
前記表示対象の画像の更新の頻度が所定値より大きい場合に、前記更新工程による表示輝度の更新を制限する制限工程と、を備えることを特徴とする画像表示方法。
【請求項１７】
コンピュータを、請求項１乃至１１のいずれか１項に記載された画像出力装置の各手段、または、請求項１２乃至１４のいずれか１項に記載された画像表示装置の各手段として機能させるためのプログラム。
【発明の詳細な説明】
【技術分野】
【０００１】
本発明は、画像出力装置、画像表示装置およびそれらの方法に関する。
【背景技術】
【０００２】
デジタルカメラやデジタルビデオカメラでは、撮影された画像をカメラ内蔵のパネルや電子ビューファインダ（ＥＶＦ）、外部のディスプレイに表示させて撮影対象を確認しながら撮影することが可能である。
【０００３】
近年、ＳＤＲ（Ｓｔａｎｄａｒｄ  Ｄｙｎａｍｉｃ  Ｒａｎｇｅ）に対してＨＤＲ（Ｈｉｇｈ  Ｄｙｎａｍｉｃ  Ｒａｎｇｅ）での撮影や表示が本格化しており、ＨＤＲ関連の規格化や製品化が進められている。例えばＨＤＲ１０＋などの規格では、フレームやシーン毎に最大輝度値を示すＭａｘＣＬＬや、フレーム毎の平均輝度値を示すＭａｘＦＡＬＬなどの付加情報が定義されている。ここで、ＭａｘＣＬＬは、Ｍａｘｉｍｕｍ  Ｃｏｎｔｅｎｔ  Ｌｉｇｈｔ  Ｌｅｖｅｌであり、ＭａｘＦＡＬＬは、ＭａｘＦＡＬＬ（Ｍａｘｉｍｕｍ  Ｆｒａｍｅ  Ａｖｅｒａｇｅ  Ｌｉｇｈｔ  Ｌｅｖｅｌである。ＭａｘＣＬＬやＭａｘＦＡＬＬ情報は、ＨＤＭＩ規格などにおいて機器間伝送が可能となっている。カメラからディスプレイに映像の輝度情報を動的に伝えることによって、ディスプレイの表示輝度を調整することが可能である。
【０００４】
特許文献１には、ＯＳＤ（Ｏｎ  Ｓｃｒｅｅｎ  Ｄｉｓｐｌａｙ）などのような文字スーパーを、ＨＤＲ方式やＳＤＲ方式に応じた明るさで合成する表示装置が開示されている。特許文献１の表示処理によれば、ＨＤＲ、ＳＤＲの方式によらず、文字スーパーを一定の輝度で表示することができる。
【先行技術文献】
【特許文献】
【０００５】
【特許文献１】特開２０１８−１１７２８１号公報
【発明の概要】
【発明が解決しようとする課題】
【０００６】
静止画像の再生において画像ごとに最適な輝度でディスプレイに表示することは、前述したＭａｘＣＡＬＬ、ＭａｘＦＡＬＬなどの輝度情報を静止画像に付加することにより実現可能である。一方、付加された輝度情報に従って静止画像ごとに表示輝度が変化すると、異なる静止画像を連続的に切り替えて再生するような場合に、表示にちらつきが生じる原因となってしまう。また、ＯＳＤなどの一定輝度で表示したい領域の輝度も変化してしまい、ＯＳＤの表示が見にくくなってしまう。
【０００７】
本発明は、画像に付加された輝度情報に従って動的に輝度レベルを切り替える画像表示において、画像を切り替えて再生する際の表示のちらつきの発生を低減する技術を提供する。
【課題を解決するための手段】
【０００８】
本発明の一態様による画像出力装置は以下の構成を備える。すなわち、
表示対象の画像について輝度情報を取得する取得手段と、
前記取得手段により取得された輝度情報に基づいて、前記表示対象の画像に付加する輝度情報を更新する更新手段と、
前記表示対象の画像のデータに、前記更新手段により更新された輝度情報を付加して出力する出力手段と、
前記表示対象の画像の更新の頻度が所定値より大きい場合に、前記更新手段による輝度情報の更新を制限する制限手段と、を備える。
【発明の効果】
【０００９】
本発明によれば、画像に付加された輝度情報に従って動的に輝度レベルを切り替える画像表示において、画像を切り替えて再生する際の表示のちらつきの発生が低減される。
【図面の簡単な説明】
【００１０】
【図１】第１実施形態によるデジタルカメラの一例を示す外観図。
【図２】第１実施形態によるデジタルカメラの構成例を示すブロック図。
【図３Ａ】第１実施形態によるデジタルカメラと画像表示装置との接続例を示す図。
【図３Ｂ】システム制御部の機能構成例を示すブロック図。
【図４】第１実施形態のデジタルカメラによる画像出力処理を示すフローチャート。
【図５】第２実施形態による画像表示装置の構成例を示すブロック図。
【図６】第２実施形態の画像表示装置による画像表示処理を示すフローチャート。
【発明を実施するための形態】
【００１１】
以下、添付図面を参照して実施形態を詳しく説明する。尚、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。また、各実施形態は適宜組み合わされることも可能である。
【００１２】
＜第１実施形態＞
図１（ａ）、（ｂ）に第１実施形態の画像出力装置の一例としてのデジタルカメラ１００の外観図を示す。図１（ａ）はデジタルカメラ１００の前面斜視図であり、図１（ｂ）はデジタルカメラ１００の背面斜視図である。
【００１３】
表示部２８はカメラ背面に設けられ、画像や各種情報を表示する。ファインダ外液晶表示部４３は、カメラ上面に設けられ、シャッター速度や絞りをはじめとするカメラの様々な設定値を表示する。シャッターボタン６１は撮影指示を行うための操作部材である。モード切替スイッチ６０は各種モードを切り替えるための操作部材である。端子カバー４０は外部機器との接続ケーブルとデジタルカメラ１００とを接続する接続ケーブル等のコネクタ（不図示）を保護するカバーである。
【００１４】
メイン電子ダイヤル７１は、シャッター速度や絞りなどの設定値の変更等を行うための回転操作部材である。電源スイッチ７２はデジタルカメラ１００の電源のＯＮ及びＯＦＦを切り替える操作部材である。サブ電子ダイヤル７３は、選択枠の移動や画像送りなどを行うための回転操作部材である。十字キー７４は、上、下、左、右部分をそれぞれ押し込み可能な十字キー（４方向キー）である。十字キー７４の押した部分に応じた操作が可能である。ＳＥＴボタン７５は、主に選択項目の決定などに用いられる押しボタンである。ＬＶボタン７６は、静止画撮影モードおいてライブビュー（以下、ＬＶ）のＯＮとＯＦＦを切り替える押しボタンである。動画撮影モードにおいては、動画撮影（記録）の開始、停止の指示に用いられる。
【００１５】
拡大ボタン７７は、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８、または、外部機器としての画像表示装置３００に表示させることができる。
【００１６】
クイックリターンミラー（以下、ミラー１２）は、システム制御部５０から指示されて、不図示のアクチュエータによりアップダウンされる。通信端子１０はデジタルカメラ１００がレンズ側（着脱可能）と通信を行う為の通信端子である。接眼ファインダ１６は、フォーカシングスクリーン１３（図２）を観察することで、レンズユニット１５０（図２）を通して得た被写体の光学像の焦点や構図の確認を行うための覗き込み型のファインダである。蓋２０２は記録媒体２００を格納したスロットの蓋である。グリップ部９０は、ユーザがデジタルカメラ１００を構えた際に右手で握りやすい形状とした保持部である。
【００１７】
タッチパネル７０ａは、表示部２８に対する接触を検知可能である。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザインターフェース）を構成することができる。
【００１８】
なお、タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００１９】
ＡＦ−ＯＮボタン７０ｂは、押しボタンスイッチであり、押下することでＡＦの実行を指示することができる。ＡＦ−ＰＮボタン７０ｂの押下方向は、レンズ１０３から撮像部２２に入射する被写体光の方向（光軸）と平行である。
【００２０】
クイック設定ボタン（以下、Ｑボタン７０ｃ）は、押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザは表示されたクイック設定メニューの内、任意の選択肢を上下キーで選択してセットボタンを押下することで、選択した設定項目に関する設定変更や動作モードへの移行を行うことができる。
【００２１】
アクティブ枠切替ボタン７０ｄは、押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００２２】
メニューボタン７０ｅは、押しボタンスイッチであり、各種の設定が可能なメニュー画面が表示部２８、または、外部機器としての画像表示装置３００に表示される。ファンクションボタン７０ｆは、３つの押しボタンスイッチで構成され、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。インフォボタン７０ｇは、押しボタンスイッチであり、各種情報表示の切り替えなどに使用される。
【００２３】
図２は、本実施形態によるデジタルカメラ１００の構成例を示すブロック図である。
【００２４】
レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００側と通信を行う為の通信端子である。通信端子１０はデジタルカメラ１００がレンズユニット１５０側と通信を行う為の通信端子である。レンズユニット１５０は、通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００２５】
ＡＥセンサ１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００２６】
ミラー１２は、露光、ライブビュー撮影、動画撮影の際にシステム制御部５０から指示されて、不図示のアクチュエータによりアップダウンされる。ミラー１２は、レンズ１０３から入射した光束を接眼ファインダ１６側と撮像部２２側とに切り替えるためのミラーである。ミラー１２は通常時は接眼ファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２７】
撮影者は、ペンタプリズム１４と接眼ファインダ１６を介して、フォーカシングスクリーン１３を観察することで、レンズユニット１５０を通して得た被写体の光学像の焦点や構図の確認が可能となる。
【００２８】
シャッター１０１は、システム制御部５０の制御で撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００３０】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８、または、画像表示装置３００に表示するための画像データを格納する。メモリ３２は、所定枚数の静止画像や所定時間の動画像および音声を格納するのに十分な記憶容量を備えている。
【００３１】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００３２】
ファインダ内液晶表示部４１には、ファインダ内表示部駆動回路４２を介して、現在オートフォーカスが行われている測距点を示す枠（ＡＦ枠）や、カメラの設定状態を表すアイコンなどが表示される。ファインダ外液晶表示部４３には、ファインダ外表示部駆動回路４４を介して、シャッター速度や絞りをはじめとするカメラの様々な設定値が表示される。
【００３３】
デジタル出力Ｉ／Ｆ９１はメモリ３２に格納されている画像表示用のデータをデジタル信号のまま画像表示装置３００に供給する。こうして、メモリ３２に書き込まれた表示用の画像データは画像表示装置３００に表示される。
【００３４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３５】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等が展開される。また、システム制御部５０はメモリ３２、Ｄ／Ａ変換器１９、デジタル出力Ｉ／Ｆ９１、表示部２８等を制御することにより表示制御も行う。
【００３６】
システムタイマ５３は各種制御に用いる時間や、内蔵された時計の時間を計測する計時部である。モード切替スイッチ６０、シャッターボタン６１（第１シャッタースイッチ６２、第２シャッタースイッチ６４）、操作部７０はシステム制御部５０に各種の動作指示を入力するための操作部材である。
【００３７】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３８】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００４０】
操作部７０は、上述したメイン電子ダイヤル７１、サブ電子ダイヤル７３、十字キー７４、ＳＥＴボタン７５、ＬＶボタン７６、拡大ボタン７７、縮小ボタン７８、再生ボタン７９を含む。また、操作部７０は、上述したタッチパネル７０ａ、ＡＦ−ＯＮボタン７０ｂ、Ｑボタン７０ｃ、アクティブ枠切替ボタン７０ｄ、メニューボタン７０ｅ、ファンクションボタン７０ｆを含む。
【００４１】
操作部７０の各操作部材は、表示部２８、または、画像表示装置３００に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８、または、画像表示装置３００に表示される。ユーザは、表示部２８、または、画像表示装置３００に表示されたメニュー画面と、上下左右の４方向ボタンやＳＥＴボタンとを用いて直感的に各種設定を行うことができる。
【００４２】
なお、本実施形態では、十字キー７４は一体的な操作部として説明しているが、上ボタン、下ボタン、右ボタン、左ボタンがそれぞれ独立したボタンであってもよい。以下、上または下部分を上下キー、左または右部分を左右キーと称する。
【００４３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４５】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４６】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサやジャイロセンサなどを用いることができる。
【００４７】
なお、本実施形態では、画像出力装置として上述したデジタルカメラ１００を用いた例を説明するがこれに限られるものではない。画像出力装置としては、例えば、スマートフォンやタブレットＰＣ、デスクトップＰＣなどがあげられる。
【００４８】
図３Ａはデジタルカメラ１００と、外部機器としての画像表示装置３００との接続を表す図である。デジタルカメラ１００と画像表示装置３００を接続ケーブル３０２で接続すると、デジタルカメラ１００の表示部２８が消灯し、画像表示装置３００のディスプレイ３０１にデジタルカメラ１００による表示内容が表示される。この状態で、ユーザは、デジタルカメラ１００を操作することにより、記録媒体２００に格納されている静止画像をディスプレイ３０１に表示させることができる。
【００４９】
次に、第１実施形態の画像出力装置（デジタルカメラ１００）による、静止画像再生における画像出力処理について説明する。図３Ｂは、第１実施形態のデジタルカメラ１００が有するシステム制御部５０の機能構成例を示すブロック図である。選択部３５１は、操作部７０へのユーザ操作に応じて記録媒体２００から表示対象の画像を選択する。描画部３５２は、選択部３５１により選択された表示対象の画像に描画処理を施し、ディスプレイで表示可能なデータを生成する。取得部３５３は、表示対象の画像について輝度情報を取得する。本実施形態では、取得部３５３は、表示対象の画像に対する描画処理の実行時に、当該画像につて輝度情報を取得する。
【００５０】
更新部３５４は、取得部３５３が取得した輝度情報に基づいて、表示対象の画像に付加される輝度情報を更新する。出力部３５５は、描画部３５２が描画処理を行った画像に、更新部３５４により更新された輝度情報を含む動的メタデータを付加してメモリ３２に格納する。また、出力部３５５は、メモリ３２に格納した画像を画像表示装置３００へ出力するよう、メモリ制御部１５に指示する。制限部３５６は、表示対象の画像の更新の頻度が所定値より大きい場合に、更新部３５４による輝度情報の更新を制限する。以下、各部の具体的な動作例を、図４のフローチャートを参照して説明する。
【００５１】
図４は、第１実施形態のデジタルカメラ１００による画像出力処理を説明するフローチャートである。なお、図４に示される処理は、不揮発性メモリ５６に記録されたプログラムをシステムメモリ５２に展開してシステム制御部５０が実行することで実現する。但し、図４で説明される処理の少なくとも一部が、専用ハードウェアにより実現されてもよい。すなわち、図３Ｂに示された各機能部は、ソフトウェアにより実現されてもよいし、ハードウェアにより実現されてもよいし、ソフトウェアとハードウェアの協働により実現されてもよい。
【００５２】
ユーザが再生ボタン７９を押下することでシステム制御部５０は再生モードに移行する。再生モードに移行すると、Ｓ４０１において、システム制御部５０は、デジタルカメラ１００が画像表示装置３００とＨＤＭＩ（High-Definition Multimedia Interface）により接続されているか否かを判断する。システム制御部５０は、接続されていると判断した場合に処理をＳ４０２へ、そうでない場合に処理をＳ４０５へ進める。なお、本実施形態では、画像出力装置（デジタルカメラ１００）と画像表示装置３００がＨＤＭＩにより接続される構成を例示するが、これらの装置間の接続はＨＤＭＩに限られるものではない。静止画像と共に動的メタデータを伝送可能な通信接続であればよい。
【００５３】
Ｓ４０２では、システム制御部５０は、画像表示装置３００がＨＤＲに対応したディスプレイ３０１かどうかを判断する。システム制御部５０は、画像表示装置３００との通信により、あるいは、ユーザ操作（ディスプレイ３０１がＨＤＲに対応しているか否かをユーザが明示的に指定する）により、画像表示装置３００がＨＤＲに対応しているか否かを判断する。システム制御部５０は、ＨＤＲに対応したディスプレイ３０１であると判断した場合には処理をＳ４０３へ、対応していないと判断した場合には処理をＳ４０５へ進める。
【００５４】
Ｓ４０３では、システム制御部５０は、画像表示装置３００がＨＤＲの動的メタデータに対応しているかどうかを判断する。Ｓ４０２と同様に、システム制御部５０は、画像表示装置３００との通信により、あるいは、ユーザ操作により、画像表示装置３００が動的メタデータに対応しているか否かを判断する。システム制御部５０は、動的メタデータに対応したディスプレイ３０１であると判断した場合には処理をＳ４０４へ、対応していないと判断した場合には処理をＳ４０５へ進める。Ｓ４０４では、システム制御部５０は、画像表示装置３００に対して映像データにメタデータを用いて輝度情報を動的に付与するモードに移行し、Ｓ４０６以降の処理を実行する。Ｓ４０５では、システム制御部５０は、映像データに動的メタデータを付与しないモードに移行し、Ｓ４２０において動的メタデータ（輝度情報）を付与せずに画像表示装置３００へ画像を送信する処理が行われる。
【００５５】
Ｓ４０６では、システム制御部５０の選択部３５１は、再生する画像を選択する。Ｓ４０７では、システム制御部５０の描画部３５２は、選択した画像の描画処理を行う。ここで描画処理を行う画像データとしては、簡易表示用のＭＰＦ（Ｍｕｌｔｉ  Ｐｉｘｅｌ  Ｆｏｒｍａｔ）画像、サムネイル画像、本画像などがあげられる。Ｓ４０８では、システム制御部５０の取得部３５３は、画像の輝度情報を取得する。なお、取得部３５３は、Ｓ４０７の画像描画処理時に画像データから画像の輝度情報を取得してもよいし、画像データに付与されているメタデータから画像の輝度情報を取得してもよい。メタデータには静的メタデータと動的メタデータがある。
【００５６】
静的メタデータとしては、ＣＥＡ−８６１．３に準拠したディスプレイの３原色および白色点のｘ，ｙ座標、マスタリングディスプレイの最大輝度値／最小輝度値、コンテンツ最大輝度値（ｍａｘＣＬＬ）、フレーム平均輝度レベル（ｍａｘＦＡＬＬ）などがある。また、動的メタデータとしては、例えば、ＳＭＰＴＥ  ＳＴ  ２０９４で定義されているカラーボリューム変換の動的トーンマッピングのメタデータがある。本実施形態では、１つの静止画像についてのｍａｘＣＬＬ、ｍａｘＦＡＬＬ、動的トーンマッピングなどの輝度情報が、当該静止画像の動的メタデータとして付加される。また、静止画像の輝度情報として、画像全体の最大輝度値に限られず、画像中の主被写体における最大輝度値が用いられてもよい。また、平均輝度レベルに替えて最頻値などが用いられてもよい。
【００５７】
Ｓ４０９では、システム制御部５０の制限部３５６は、画像表示装置３００に送信する輝度情報を現在送信している輝度情報から更新するかどうかを判断する。本実施形態の制限部３５６は、選択部３５１による画像の切り替えの時間間隔が所定時間より小さい場合に輝度情報の更新を制限する（本実施形態では、更新を禁止する）。制限部３５６は、輝度情報を更新すると判断した場合には処理をＳ４１０へ、更新しないと判断した場合には処理をＳ４１３へ進める。再生開始時は画像表示装置３００に最初に画像を送信するタイミングであるため、輝度情報の更新が行われる。すなわち、処理はＳ４１０へ進む。
【００５８】
Ｓ４１０では、システム制御部５０の更新部３５４は、送信すべき輝度情報をＳ４０６で選択した画像の輝度情報に更新する。Ｓ４１１では、システム制御部５０の出力部３５５は、Ｓ４１０で更新された輝度情報を用いて動的メタデータを生成する。Ｓ４１２では、出力部３５５は、Ｓ４０７で生成した画像のデータにＳ４１１で生成した動的メタデータを付加し、画像表示装置３００へ送信する。より具体的には、出力部３５５は、動的メタデータが付加された画像をメモリ３２に格納する。メモリ制御部１５は、出力部３５５の制御下で、メモリ３２に格納された画像データおよび動的メタデータをＨＤＭＩなどの映像伝送規格に則った信号形式に変換し、デジタル出力Ｉ／Ｆ９１を介して画像表示装置３００に伝送する。画像表示装置３００は動的メタデータによって通知された輝度情報に適したトーンマッピングを用いてディスプレイ３０１に映像を出力することが可能となる。
【００５９】
Ｓ４１３、Ｓ４１４では、システム制御部５０は、一定時間内に次の画像を再生する要求があるかどうかを判断する。すなわち、Ｓ４１３において、システム制御部５０は、次の画像が選択されてないと判断した場合、処理をＳ４１４へ進める。Ｓ４１４では、システム制御部５０は、画像の更新から一定時間が経過したかを判断する。一定時間内に次の画像の再生の要求が来る場合としては、例えばサブ電子ダイヤル７３を回転操作させ素早く画像を更新する場合などが考えられる。Ｓ４１３では、システム制御部５０は、次の画像が選択されたかどうかを判断し、選択されたと判断された場合には処理をＳ４０６へ、選択されていないと判断された場合には処理をＳ４１４へ進める。
【００６０】
システム制御部５０は、一定時間が経過する前に次の画像の選択が指示されたと判断した場合（Ｓ４１４でＮＯ、Ｓ４１３でＹＥＳ）、処理をＳ４０６へ戻す。これにより、選択部３５１は、次に再生する画像を選択し（Ｓ４０６）し、描画部３５２は選択された画像の描画処理を行い（Ｓ４０７）、取得部３５３は当該画像の輝度情報を取得する（Ｓ４０８）。制限部３５６は、画像表示装置３００に送信する輝度情報を現在送信している輝度情報から更新するかどうかを判断する（Ｓ４０９）。前回の画像表示から所定時間が経過していない場合、制限部３５６は、輝度情報を更新しないと判断し、処理をＳ４１２へ進める。他方、前回の画像表示から所定時間が経過していると判断された場合、更新部３５４は、上述したように送信する輝度情報を更新し（Ｓ４１０）、動的メタデータを生成する（Ｓ４１１）。出力部３５５は、画像に輝度情報が更新されたメタデータを付加して画像表示装置３００へ送信する。
【００６１】
他方、Ｓ４０９で前回の画像表示から所定時間が経過していないと判断された場合、システム制御部５０は、処理をＳ４１２へ進める。この場合、出力部３５５は、Ｓ４０７で描画処理された画像と、前回の画像出力処理で生成した動的メタデータを画像表示装置３００へ送信する（Ｓ４１２）。これにより、画像表示装置３００は動的メタデータによって通知された輝度情報が変化しないため、トーンマッピングを変更することなく以前のトーンマッピングを使用して映像出力することになる。
【００６２】
Ｓ４１４において一定時間が経過したと判断された場合、システム制御部５０は、現在、外部機器が表示している画像を表示画像と決定し、当該画像を適切な輝度情報を送信するための処理を開始する。なお、Ｓ４１４で用いられる一定時間と、Ｓ４０９で用いられる所定時間は、同じであってもよいし、異なっていてもよい。Ｓ４０７の描画処理においてＭＰＦ用画像、サムネイル画像などの簡易表示用の画像が使用されている場合、Ｓ４１５において、描画部３５２は本画像のデータを使用して描画処理を行う。Ｓ４１６では、取得部３５３は、画像の輝度情報を取得する。Ｓ４１７では、更新部３５４は、送信する輝度情報を更新する。Ｓ４１８では、更新部３５４は、Ｓ４１７で更新された輝度情報を用いて動的メタデータを生成する。
【００６３】
Ｓ４１９では、出力部３５５は、Ｓ４１５で生成した画像と、Ｓ４１８で生成した動的メタデータを、例えばＨＤＭＩなどの映像伝送規格に則って画像表示装置３００に送信する。これにより、画像表示装置３００は動的メタデータによって通知された輝度情報に適したトーンマッピングを用いてディスプレイ３０１に映像出力が可能となる。
【００６４】
以上説明したように、第１実施形態によれば、静止画像の再生において、異なる画像を連続して更新する場合（一定時間内に切り替えて表示する場合）には外部機器（画像表示装置３００）に送信する動的メタデータが制限される。例えば、本実施形態では、動的パラメータが一定にされる。これにより、画像表示装置３００のトーンマッピングの変動が制限、または固定され、ディスプレイ３０１による表示のちらつき、特にＯＳＤなどのちらつきを防止することができる。また、画像の更新が停止してから一定時間経過したと判断された場合には、画像表示装置３００に最終的に表示している画像の輝度情報を用いて生成した動的メタデータが伝送されるので、表示している画像に適したトーンマッピングによる表示が可能となる。
【００６５】
＜変形例１＞
なお、上記第１実施形態では、画像出力装置としてのデジタルカメラ１００が画像表示装置３００へ動的メタデータが付加された画像データを出力し、ディスプレイ３０１に表示させる場合を説明したが、これに限られるものではない。例えば、画像出力装置が自身のディスプレイに画像を表示させる際の制御として図４に示した動作を実行するようにしてもよい。その場合、Ｓ４１２、Ｓ４１９における「メタデータと映像信号を送信」する動作を、「メタデータに基づいてトーンマッピングを行い、表示部２８に表示する」ように変更すればよい。
【００６６】
なお、そのような画像出力装置は、デジタルカメラ１００に限られるものではない。すなわち、ＰＤＡ、携帯電話端末や携帯型の画像ビューワ、ディスプレイを備えるプリンタ装置、デジタルフォトフレーム、音楽プレーヤー、ゲーム機、電子ブックリーダーなど、表示部を備えた装置であれば、本変形例を適用することができる。
【００６７】
＜変形例２＞
上記第１実施形態では、制限部３５６が、画像の切り替えの時間間隔が所定時間よりも小さい場合に更新部３５４による輝度情報の更新を制限した。しかしながら、制限部３５６による、輝度情報の更新を制限する条件、更新の制限の内容はこれに限られるものではない。例えば、ＯＳＤの表示中か否かを、輝度情報の更新の実行を制限する条件に含めてもよい。この場合、制限部３５６は、ＯＳＤの表示中には静止画像の更新頻度が大きい場合に輝度情報の更新を制限し、ＯＳＤの非表示中は更新頻度が大きくても輝度情報の更新を制限しないようにしてもよい。
【００６８】
また、輝度情報の更新の制限として、制限部３５６は、出力部３５５が付加している現在の輝度情報が示す輝度値よりも新たにＳ４０８で取得された輝度情報が示す輝度値の方が小さい場合に輝度情報の更新を許可し、他の場合に禁止するようにしてもよい。輝度情報が大きくなる方向のみへ変更されるので、表示のちらつきが低減される。
【００６９】
また、第１実施形態では、制限部３５６は、更新部３５４による輝度情報の更新を禁止することで前回の表示に用いた輝度値に固定したがこれに限られるものではない。制限部３５６は、輝度情報が示す輝度値を、例えば、同一のフォルダ内に存在する全画像の最大輝度値、同一のメモリカード（記録媒体２００）に存在する全画像の最大輝度値などの所定値に固定することで、輝度情報の更新を制限するようにしてもよい。
【００７０】
＜第２実施形態＞
第１実施形態では、画像に付加する動的メタデータにおける輝度情報の更新を制限することで、ディスプレイにおける表示のちらつきを抑制したが、これに限られるものではない。例えば、静止画像に付加される動的メタデータ（輝度情報）の更新を制限せず、表示処理の段階で表示輝度の更新（トーンマッピングの更新）を抑制するようにしてもよい。第２実施形態では、画像表示装置３００がトーンマッピングの更新を抑制する機能を有する構成について説明する。
【００７１】
図５は、（ａ）第２実施形態による画像表示装置３００のハードウェア構成例を示すブロック図、および（ｂ）表示制御部の機能構成例を示すブロック図である。画像表示装置３００において、機器Ｉ／Ｆ５０１は、デジタルカメラ等の外部機器から表示対象の画像を受信する。機器Ｉ／Ｆ５０１は、例えば、ＨＤＭＩ規格に準拠したインターフェースである。表示制御部５０２は、機器Ｉ／Ｆ５０１が受信した映像信号に基づいて映像をディスプレイ３０１に表示させるべく、ディスプレイ３０１を駆動する。
【００７２】
表示制御部５０２において、取得部５２１は、輝度情報（動的メタデータ）が付加された表示対象の画像を取得する。更新部５２３は、取得部５２１により取得された輝度情報に基づいて表示輝度を更新する。より具体的には、更新部５２３は、ディスプレイ３０１による表示のためのトーンマッピング５２５を更新する。表示出力部５２２は、表示対象の画像を、更新部５２３により更新された表示輝度（トーンマッピング５２５）で表示部（ディスプレイ３０１）に表示させるための映像信号を出力する。制限部５２４は、表示対象の静止画像の更新の頻度が所定値より大きい場合に、更新部５２３による表示輝度の更新を制限する。制限部５２４は、例えば、受信された映像信号の各静止画像データに付加されているメタデータから静止画像の切り替えを検出することができる。
【００７３】
以上のような構成を備えた、本実施形態の画像表示装置３００の動作について図６のフローチャートを参照して説明する。なお、画像出力装置は、静止画像ごとに更新された動的メタデータ（輝度情報）を付加して静止画像を画像表示装置３００へ送信するものとする。
【００７４】
図６は、画像表示装置３００による、静止画像再生時の表示処理を説明するフローチャートである。Ｓ６０１で、表示制御部５０２は、ＨＤＭＩ接続により画像出力装置と接続されているか否かを判断する。ＨＤＭＩ接続されていないと判断された場合（Ｓ６０１でＮＯ）、表示制御部５０２は本処理を終了する。ＨＤＭＩ接続されていると判断された場合（Ｓ６０１でＥＹＳ）、Ｓ６０２にて、表示制御部５０２の取得部５２１は、機器Ｉ／Ｆ５０１が受信した映像信号から静止画像と輝度情報を取得する。
【００７５】
Ｓ６０３では、表示制御部５０２の制限部５２４は、現在の表示に用いられているトーンマッピングを受信した輝度情報で更新するか否かを判断する。制限部５２４は、トーンマッピングを更新すると判断した場合には処理をＳ６０４へ、更新しないと判断した場合には処理をＳ６０６へ進める。本実施形態の制限部５２４は、前回の画像の更新からの経過時間が所定時間を超えている場合には輝度情報に基づくトーンマッピングの更新を許可し、他の場合にはトーンマッピングの更新を禁止することでトーンマッピングの更新を制限する。
【００７６】
Ｓ６０４では、表示制御部５０２の更新部５２３は、今回受信した画像信号に付加されている動的メタデータから輝度情報を取得する。Ｓ６０５では、更新部５２３は、取得した輝度情報に基づいてディスプレイ３０１のトーンマッピング５２５を更新する。そして、Ｓ６０６において、表示出力部５２２は、取得部５２１が取得した画像をトーンマッピング５２５に従って表示するようにディスプレイ３０１を駆動する。
【００７７】
Ｓ６０７では、取得部５２１は、次の画像データを受信したか否かを判断する。次の画像データを受信したと判断された場合、表示制御部５０２は処理をＳ６０２に戻し、上述した処理を繰り返す。Ｓ６０７において、次の画像データを受信していないと判断された場合、表示制御部５０２は処理をＳ６０８へ進める。Ｓ６０８で、表示制御部５０２は、表示終了の指示があったか否かを判断する。表示終了の指示があった場合は、表示制御部５０２は、本処理を終了する。表示終了の指示がない場合、表示制御部５０２は、処理をＳ６０７に戻す。
【００７８】
以上のように、表示装置側で動的メタデータに含まれている輝度信号を採用するか否かを決定することにより、動的メタデータが付加された静止画像の早送り時などにおける表示のちらつきを低減することができる。なお、第２実施形態の画像表示装置３００においても、変形例２において説明した、更新処理の制限を実行する条件、更新処理の内容を適用することができる。但し、同一フォルダ内に存在する全画像の最大輝度値や同一メモリカード内に存在する全画像の最大輝度値については、画像表示装置３００が静止画再生に先立って画像出力装置（デジタルカメラ１００）から取得しておく必要がある。
【００７９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８０】
発明は上記実施形態に制限されるものではなく、発明の精神及び範囲から離脱することなく、様々な変更及び変形が可能である。従って、発明の範囲を公にするために請求項を添付する。
【符号の説明】
【００８１】
５０：システム制御部、１００：デジタルカメラ、２００：記録媒体、３００：画像表示装置、３５１：選択部、３５２：描画部、３５３：取得部、３５４：更新部、３５５：出力部、３５６：制限部
【図１】
2020150501.tif 000003
【図２】
2020150501.tif 000004
【図３Ａ】
2020150501.tif 000005
【図３Ｂ】
2020150501.tif 000006
【図４】
2020150501.tif 000007
【図５】
2020150501.tif 000008
【図６】
2020150501.tif 000009